(57)【特許請求の範囲】
【請求項１】
ゴム成形品よりなる管体の外周面に筒状台座を一体に形成し、この筒状台座内に温度センサの感温部を挿入して、該筒状台座の外周面に締付バンドを装着して前記温度センサの抜け出しを抑えるようにしたものにおいて、一端側を前記締付バンドもしくは筒状台座に係合し、他端側を前記温度センサに係合する抜止補助具を設けたことを特徴とする温度センサの取付装置。
【請求項２】
前記抜止補助具は、一端側を前記締付バンドの摘み部に係合し、他端側を温度センサの保護筒外周に弾性係合するようにしたことを特徴とする請求項１記載の温度センサの取付装置。
【請求項３】
前記抜止補助具は、一端側を前記筒状台座の外周面に一体に形成した凸部に係合し、他端側を温度センサの保護筒外周に弾性係合するようにしたことを特徴とする請求項１記載の温度センサの取付装置。
【発明の詳細な説明】
【０００１】
【発明の属する技術分野】
本発明は管体内を流れる温水等の温度を検知する温度センサの取付装置に関するもので、特に温度センサの抜け止め構造に関するものである。
【０００２】
【従来の技術】
図５は従来の温度センサの取付装置を示す斜視図であり、図６はその分解斜視図である。
従来の温度センサの取付装置は、図５及び図６に示すような構成であり、ゴム成形品よりなる管体１の屈曲部付近の外周面に筒状台座１ａを一体成形し、この筒状台座１ａの中央に設けた収納凹所１ｂに温度センサ２の感温部２ａを挿入し、センサとリード線２ｄとの接続部を覆っている保護筒２ｃのほぼ中央部付近に形成した径大部２ｂが前記筒状台座１ａの端面に当接する位置まで挿入した後、温度センサ２の感温部２ａが挿入されている筒状台座１ｂの外周面に金属製の締付バンド３を装着して周方向から締め付け、温度センサ２の感温部２ａが簡単に収納凹所１ｂから抜け出さないように取り付けられている。
【０００３】
なお、３ａ，３ｂは締付バンド３の両端を外側方向に折り曲げて形成した摘み部であり、その間隔を縮めるように押圧することで、締付バンド３の内径が広がり、この締付バンド３を筒状台座１ａの外周面に装着したり、取り外したりすることができる。また、前記管体１は温水等が流れる流路の一部として流路中に配置され、温度センサ２はその感温部２ａで管体１内を流れる温水等の温度を収納凹所１ｂの底面を隔てて検知する。
【０００４】
【発明が解決しようとする課題】
従来の温度センサの取付装置は上記のような構成であるため、温度センサ２に対して軸方向の外力Ｆが加わった場合、温度センサ２の感温部２ａが挿入された筒状台座１ａは金属製の締付バンド３により周方向から締め付けられているものの、軸方向の外力Ｆに対しては比較的弱いため、小さな引張り力でも収納凹所１ｂから温度センサ２の感温部２ａは抜け出ることがあった。特に、ゴム成形品で構成された管体１の場合、成形する際に離型剤を使用しているため、この離型剤によって滑り易くなっており、小さな引張り力でも容易に温度センサ２が筒状台座１ａから抜けてしまうという問題点があった。
【０００５】
本発明は上記のような問題点を解決するためになされたもので、軸方向の引張り力や成形時に使用される離型剤によっても、温度センサが容易に管体の筒状台座から抜け出ることがない温度センサの取付装置を得るすることを目的としている。
【０００６】
【課題を解決するための手段】
本発明に係る温度センサの取付装置は、ゴム成形品よりなる管体の外周面に筒状台座を一体に形成し、この筒状台座内に温度センサの感温部を挿入して、該筒状台座の外周面に締付バンドを装着して前記温度センサの抜け出しを抑えるようにしたものにおいて、一端側を前記締付バンドもしくは筒状台座に係合し、他端側を前記温度センサに係合する抜止補助具を設けたものである。
【０００７】
また、前記抜止補助具は、一端側を前記締付バンドの摘み部に係合し、他端側を温度センサの保護筒外周に弾性係合するようにしたものである。
【０００８】
また、前記抜止補助具は、一端側を前記筒状台座の外周面に一体に形成した凸部に係合し、他端側を温度センサの保護筒外周に弾性係合するようにしたものである。
【０００９】
【発明の実施の形態】
実施の形態１．
図１は本発明の実施の形態１を示す斜視図で、図２は図１に示す実施の形態１の分解斜視図で、図３は抜止補助具の拡大斜視図である。
図１〜図３において、１は中央部で略く字形に屈曲させて形成されたゴム成形品よりなる管体で、温水が流れる流路の一部を構成する。１ａはこの管体１の屈曲部付近の外周面に一体成形された筒状台座、１ｂはこの筒状台座の中央に設けられた収納凹所、２は先端に感温部２ａを有する温度センサで、センサとリード線２ｄとの接続部を覆っている保護筒２ｃのほぼ中央部付近には径大部２ｂを形成してあり、前記筒状台座１ａの収納凹所１ｂに感温部２ａを挿入したときに、筒状台座１ａの端面に保護筒２ｃの径大部２ｂが当接して位置決めされ、保護筒２ｃの後部が外部に突出している。
【００１０】
３は前記筒状台座１ａに装着された温度センサ２を筒状台座１ｂの周方向より締め付けて該温度センサ２の抜け出しを防ぐための締付バンド、４は中央部からU字型に折り返して形成した折返し部４ａを一端側に形成し、他端側に一対の湾曲部４ｂ，４ｃを形成した弾性を有する抜止補助具で、一対の湾曲部４ｂ，４ｃは温度センサ２の保護筒２ｃの外径寸法より小さい寸法で形成されている。
【００１１】
次に作用について説明する。
温度センサ２及び締付バンド３の管体１への装着方法については、従来技術で説明した内容とまったく同じなので、説明は省略する。
この実施の形態１では、抜止補助具４の一端側に設けた折返し部４ａを、締付バンド３の摘み部３ａに引っかけ、他端側に設けた一対の湾曲部４ｂ，４ｃを温度センサ２の保護筒２ｃの後部外周面に弾性係合させている。これにより、温度センサ２は抜止補助具４を介して締付バンド３と連結される形となり、温度センサ２と締付バンド３とが一体化された状態に保たれることで、軸方向の外力Ｆに対して温度センサ２が容易に筒状台座１ａから抜け出ることがなくなる。
なお、抜止補助具４の折返し部４ａは、締付バンド３の摘み部３ｂ側に引っかけるようにしてもよい。
【００１２】
実施の形態２．
上記実施の形態１においては、抜止補助具４の折返し部４ａを引っかけるための凸部を締付バンド３の摘み部３ａ，３ｂを利用したが、図４に示す如く、抜止補助具４の折返し部４ａを引っかけるための凸部１ｃを管体１の筒状台座１ａに一体成形してもよく、この場合は、締付バンド３の締め付け力が多少衰えてきても、温度センサ２が筒状台座１ａから容易に抜け出るようなことはなくなる。
【００１３】
【発明の効果】
以上のように、本発明によれば、温度センサに対して軸方向の外力が付与しても容易に抜け出ることがなくなり、信頼性の高い温度センサの取付装置を得ることができる。
【００１４】
また、抜止補助具を引っかけるための凸部を締付バンドの摘み部を利用するこで、構成が簡単で組立ても容易であり、かつ安価に提供することができる。
【００１５】
また、抜止補助具を引っかけるための凸部を管体に一体成形することで、構成が簡単で組み立ても容易であり、かつ締め付けバンドの締め付け力が多少衰えてきても、温度センサが容易に抜け出ることがなくなる。
【図面の簡単な説明】
【図１】  本発明の実施の形態１を示す斜視図である。
【図２】  本発明の実施の形態１における分解斜視図である。
【図３】  本発明の実施の形態１における抜止補助具の拡大斜視図である。
【図４】  本発明の実施の形態２を示す斜視図である。
【図５】  従来の温度センサの取付装置を示す斜視図である。
【図６】  従来の温度センサの取付装置の分解斜視図である。
【符号の説明】
１  管体、１ａ  筒状台座、１ｂ  収納凹所、１ｃ  凸部、２  温度センサ、２ａ  感温部、２ｂ  径大部、２ｃ  保護筒、３  締付バンド、３ａ，３ｂ  摘み部、４  抜止補助具、４ａ  折返し部、４ｂ，４ｃ  湾曲部。
【図１】
0003744309.tif 000002
【図２】
0003744309.tif 000003
【図３】
0003744309.tif 000004
【図４】
0003744309.tif 000005
【図５】
0003744309.tif 000006
【図６】
0003744309.tif 000007